(57)【特許請求の範囲】
【請求項１】
表面カバーとベースとよりなるケースに内蔵され、撮像角度が調整可能に設けられたカメラを備えたカメラ付ドアホンにおいて、前記ベースの裏側から前記カメラの撮像角度を調整するための角度調整レバーが設けられ、且つ、前記カメラと前記角度調整レバーは、それぞれ独自に前記ケースに回動可能に支持され、前記カメラの回動側と前記角度調整レバーの被回動側を回動連接部で連接して、前記角度調整レバーと前記カメラとの回動方向が逆になるように、この角度調整レバーを上に操作すると前記カメラが上に回動し、この角度調整レバーを下に操作すると前記カメラが下に回動するように構成したことを特徴とするカメラ付ドアホン。
【請求項２】
表面カバーとベースとより成るケースに内蔵され、撮像角度が調整可能に設けられたカメラを備えたカメラ付ドアホンにおいて、前記カメラは回動可能に前記表面カバーに支持されたカメラユニットに設置され、かつ、前記カメラユニットには、前記カメラと反対方向に前記カメラユニットを回動させるためのカメラ側係合手段を設け、前記表面カバーに回動可能に支持され、前記カメラユニットの係合手段に係合するレバー側係合手段を設けた角度調整レバーを備え、前記角度調整レバーと前記カメラとの回動方向が逆になるように、この角度調整レバーを上に操作すると前記カメラが上に回動し、この角度調整レバーを下に操作すると前記カメラが下に回動するように構成し、且つ、前記ベースは、このベースを前記表面カバーにセットした際に、前記角度調整レバーを外から操作できるようにしたことを特徴とするカメラ付ドアホン。
【請求項３】
表面カバーとベースとより成るケースに内蔵され、撮像角度が調整可能に設けられたカメラを備えたカメラ付ドアホンにおいて、前記カメラは回動可能に前記表面カバーに支持されたカメラユニットに設置され、かつ、前記カメラユニットには、前記カメラと反対方向に前記カメラユニットを回動させるためのカメラ側係合手段を設け、前記ベースに回動可能に支持され、前記カメラユニットの係合手段に係合するレバー側係合手段を設けた角度調整レバーを備え、前記角度調整レバーと前記カメラとの回動方向が逆になるように、この角度調整レバーを上に操作すると前記カメラが上に回動し、この角度調整レバーを下に操作すると前記カメラが下に回動するように構成し、且つ、前記ベースは、このベースを前記表面カバーにセットした際に、前記角度調整レバーを外から操作できるようにしたことを特徴とするカメラ付ドアホン。
【請求項４】
表面カバーとベースとより成るケースに内蔵され、撮像角度が調整可能に設けられたカメラを備えたカメラ付ドアホンにおいて、前記カメラは回動可能に前記ベースに支持されたカメラユニットに設置され、かつ、前記カメラユニットには、前記カメラと反対方向に前記カメラユニットを回動させるためのカメラ側係合手段を設け、前記ベースに回動可能に支持され、前記カメラユニットの係合手段に係合するレバー側係合手段を設けた角度調整レバーを備え、前記角度調整レバーと前記カメラとの回動方向が逆になるように、この角度調整レバーを上に操作すると前記カメラが上に回動し、この角度調整レバーを下に操作すると前記カメラが下に回動するように構成し、且つ、前記ベースは、このベースを前記表面カバーにセットした際に、前記角度調整レバーを外から操作できるようにしたことを特徴とするカメラ付ドアホン。
【請求項５】
請求項２〜４のいずれかにおいて、前記カメラユニットのカメラ側係合手段が係合突起として構成され、前記角度調整レバーのレバー側係合手段が、前記係合突起をスライド可能に係合させるスライド係合溝として構成されていることを特徴とするカメラ付ドアホン。
【請求項６】
請求項２〜４のいずれかにおいて、前記角度調整レバーのレバー側係合手段が係合突起として構成され、前記カメラユニットのカメラ側係合手段が、前記係合突起をスライド可能に係合させるスライド係合溝として構成されていることを特徴とするカメラ付ドアホン。
【請求項７】
請求項２〜６のいずれかにおいて、前記角度調整レバーの側面には、前記カメラの撮像角度を所定の角度に保持する複数の角度保持凹所を設け、前記ベースのこの角度保持凹所に接する面には、角度保持突起を設けたことを特徴とするカメラ付ドアホン。
【請求項８】
請求項７において、前記角度調整レバーの角度保持凹所の内部には、この角度保持凹所に弾性を与える空洞が設けられていることを特徴とするカメラ付ドアホン。
【請求項９】
請求項２において、前記表面カバーに設けられ、前記角度調整レバーを回動可能に支持する軸受は、前記角度調整レバーの回動支点を前記表面カバーの裏面から抜き差し可能に支承する構成となっており、前記ベースには、前記角度調整レバーを操作するための操作窓を設け、この操作窓には、前記角度調整レバーの回動支点を中心とした円弧面を備えた凹ガイド部を設け、前記角度調整レバーには、この凹ガイド部と同一の円弧面を備えた凸ガイド部を設け、前記ベースを前記表面カバーにセットした際には、前記ベースの凹ガイド部が、前記表面カバーに設けられた軸受に支承された前記角度調整レバーの凸ガイド部をガイドするように構成したことを特徴とするカメラ付ドアホン。
【発明の詳細な説明】
【０００１】
【発明の属する技術分野】
本発明は、撮像角度、つまり、仰角が調整可能なカメラを備えたカメラ付ドアホンに関する。
【０００２】
【従来の技術】
従来より、カメラの撮像角度を調整できるようにした、カメラ付ドアホンが提案されている。
図７は、従来のカメラ付ドアホンのカメラと角度調整レバーの一例の動作を説明する概念図である。
【０００３】
このカメラ付ドアホン１１０は、ドアホン１１０の前面をカバーする表面カバー１０１、表面カバー１０１を着脱自在に取り付けるベース１０２、カメラ１０３ａなどを実装したカメラユニット１０３、カメラユニット１０３を回動させるための角度調整レバー１０４を備えている。
表面カバー１０１は、カメラ１０３ａの前面に設けられた赤外線透過フィルター１０１ａを備えている。ベース１０２は、角度調整レバー１０４の操作のための操作窓１０２ａを備えている。
【０００４】
カメラユニット１０３は、カメラ１０３ａや赤外線照射ランプ（不図示）などの関連部品を搭載した基板１０３ｂと、この基板１０３ｂを回動させるための係合手段１０３ｃ、表面カバー１０１に支持され、カメラユニット１０３を回動させるための軸１０３ｄを備えている。
角度調整レバー１０４は、ベース１０２に設けられた操作窓１０２ａの部分で矢印で示すように上下にスライド可能となっており、係合手段１０４ａを備え、これによって、カメラユニット１０３の係合手段１０３ｃを上下にスライドさせることで、カメラユニット１０３を回動させ、矢印で示すように、カメラ１０３ａの撮像角度を調整可能にしている。
【０００５】
また、このカメラ付ドアホン１１０は、夜間でも来訪者に気づかれずに撮像するために、赤外線を用いるものであり、上述したように赤外線透過フィルター１０１ａ、赤外線照射ランプを備え、また、カメラ１０３ａも、赤外線に対応したものとなっている。
【０００６】
【発明が解決しようとする課題】
しかしながら、図７において、角度調整レバー１０４の上下移動とカメラ１０３ａの回動の対応関係を、白と黒の矢印で区別して示しているように、このドアホン１１０では、レバー１０４を上げると、カメラ１０３ａが下を向き、下げると上を向くといった関係となっていた。したがって、カメラ付ドアホン１１０の取り付けの際、設置場所に合わせて、カメラ１０３ａの撮像角度、つまり仰角を調整する場合、その対応関係が直感的に解りにくいものとなっていた。
【０００７】
特に、このドアホン１１０のように赤外線を用いている場合、赤外線透過フィルター１０１ｂは、来訪者にカメラ１０３ａがあることを気づかれにくくするもので、表面カバー１０１の方から見ても、カメラ１０３ａの撮像角度、つまり仰角がどのようになっているのか解りにくく、角度調整レバー１０４の上下とカメラ１０３ａの撮像角度、つまり、仰角の上下の関係が直感的に解り易いものであることは重要であった。
【０００８】
本発明は、上記の問題を解決するためになされたものであり、カメラの撮像角度の調整操作が解り易いカメラ付ドアホンを提供することを目的としている。
【０００９】
【課題を解決するための手段】
請求項１に記載のカメラ付ドアホンは、表面カバーとベースとよりなるケースに内蔵され、撮像角度が調整可能に設けられたカメラを備えたカメラ付ドアホンにおいて、前記ベースの裏側から前記カメラの撮像角度を調整するための角度調整レバーが設けられ、且つ、前記カメラと前記角度調整レバーは、それぞれ独自に前記ケースに回動可能に支持され、前記カメラの回動側と前記角度調整レバーの被回動側を回動連接部で連接して、前記角度調整レバーと前記カメラとの回動方向が逆になるように、この角度調整レバーを上に操作すると前記カメラが上に回動し、この角度調整レバーを下に操作すると前記カメラが下に回動するように構成したことを特徴とする。
【００１０】
このドアホンは、角度調整レバーを上に操作すると、カメラが上を向き、下に操作するとカメラが下を向くので、レバーの操作とカメラの撮像角度の対応関係が直感的に解りやすく、調整の操作がしやすい。
【００１１】
ここで回動連接部とは、離間した軸を中心に回動する２つの回動体の一方から他方へ回動力を伝達するための手段をいい、その連接部が、半径方向のスライドは許容し、円周方向の動きを伝えるようになっているもの、具体的には後述する係合突起とスライド係合溝からなる係合手段などや、また、歯車や、ベルトなどを用いた回動力伝達手段を含むものである。
【００１２】
このドアホンは、レバーも回動タイプとし、この両者の回動を回動方向が逆になるように回動連接部で連接したものである。つまり、レバーを時計回りに回動させるとカメラは反時計回りに回動し、レバーを反時計回りに回動させるとカメラは時計回りに回動する。こうして、レバーを上げると、カメラが上を向き、レバーを下げるとカメラが下を向くといった解り易い対応関係を実現することができる。
【００１３】
請求項２に記載のカメラ付ドアホンは、表面カバーとベースとより成るケースに内蔵され、撮像角度が調整可能に設けられたカメラを備えたカメラ付ドアホンにおいて、前記カメラは回動可能に前記表面カバーに支持されたカメラユニットに設置され、かつ、前記カメラユニットには、前記カメラと反対方向に前記カメラユニットを回動させるためのカメラ側係合手段を設け、前記表面カバーに回動可能に支持され、前記カメラユニットの係合手段に係合するレバー側係合手段を設けた角度調整レバーを備え、前記角度調整レバーと前記カメラとの回動方向が逆になるように、この角度調整レバーを上に操作すると前記カメラが上に回動し、この角度調整レバーを下に操作すると前記カメラが下に回動するように構成し、且つ、前記ベースは、このベースを前記表面カバーにセットした際に、前記角度調整レバーを外から操作できるようにしたことを特徴とする。
【００１４】
このドアホンは、請求項１の角度調整レバーとカメラの対応関係を実現する手段を更に具体的に規定したもので、カメラは表面カバーに回動支持されたカメラユニットで間接的に回動され、角度調整レバーは表面カバーに回動支持され、この両者を回動連接部である係合手段で係合させたものである。したがって、請求項１の効果を発揮するドアホンを容易に実現することができる。
【００１５】
請求項３に記載のカメラ付ドアホンは、表面カバーとベースとより成るケースに内蔵され、撮像角度が調整可能に設けられたカメラを備えたカメラ付ドアホンにおいて、前記カメラは回動可能に前記表面カバーに支持されたカメラユニットに設置され、かつ、前記カメラユニットには、前記カメラと反対方向に前記カメラユニットを回動させるためのカメラ側係合手段を設け、前記ベースに回動可能に支持され、前記カメラユニットの係合手段に係合するレバー側係合手段を設けた角度調整レバーを備え、前記角度調整レバーと前記カメラとの回動方向が逆になるように、この角度調整レバーを上に操作すると前記カメラが上に回動し、この角度調整レバーを下に操作すると前記カメラが下に回動するように構成し、且つ、前記ベースは、このベースを前記表面カバーにセットした際に、前記角度調整レバーを外から操作できるようにしたことを特徴とする。
【００１６】
このドアホンは、請求項２のものと同様のもので、異なるのは、角度調整レバーが表面カバーでなく、ベースに回動支持されている点だけである。したがって、請求項２と同様の効果を発揮する。
請求項４に記載のカメラ付ドアホンは、表面カバーとベースとより成るケースに内蔵され、撮像角度が調整可能に設けられたカメラを備えたカメラ付ドアホンにおいて、前記カメラは回動可能に前記ベースに支持されたカメラユニットに設置され、かつ、前記カメラユニットには、前記カメラと反対方向に前記カメラユニットを回動させるためのカメラ側係合手段を設け、前記ベースに回動可能に支持され、前記カメラユニットの係合手段に係合するレバー側係合手段を設けた角度調整レバーを備え、前記角度調整レバーと前記カメラとの回動方向が逆になるように、この角度調整レバーを上に操作すると前記カメラが上に回動し、この角度調整レバーを下に操作すると前記カメラが下に回動するように構成し、且つ、前記ベースは、このベースを前記表面カバーにセットした際に、前記角度調整レバーを外から操作できるようにしたことを特徴とする。
【００１７】
このドアホンは、請求項２のものと同様のもので、異なるのは、カメラユニットと角度調整レバーとの双方とも、ベースに回動支持されている点だけである。したがって、請求項２と同様の効果を発揮する。
請求項５に記載のカメラ付ドアホンは、請求項２〜４のいずれかにおいて、前記カメラユニットのカメラ側係合手段が係合突起として構成され、前記角度調整レバーのレバー側係合手段が、前記係合突起をスライド可能に係合させるスライド係合溝として構成されていることを特徴とする。
【００１８】
このドアホンは、回動するカメラユニットと角度調整レバーとの係合手段を、更に具体的に規定したものである。つまり、カメラユニット側に係合突起を設け、レバー側にスライド係合溝を設けたものである。したがって、請求項２〜４の効果を発揮するカメラ付ドアホンをより容易に実現することができる。
請求項６に記載のカメラ付ドアホンは、請求項２〜４のいずれかにおいて、前記角度調整レバーのレバー側係合手段が係合突起として構成され、前記カメラユニットのカメラ側係合手段が、前記係合突起をスライド可能に係合させるスライド係合溝として構成されていることを特徴とする。
【００１９】
このドアホンは、請求項５と同様のもので、レバー側に係合突起を設け、カメラユニット側にスライド係合溝を設けた点が異なるだけである。したがって、請求項５と同様の効果を発揮する。
請求項７に記載のカメラ付ドアホンは、請求項２〜６のいずれかにおいて、前記角度調整レバーの側面には、前記カメラの撮像角度を所定の角度に保持する複数の角度保持凹所を設け、前記ベースのこの角度保持凹所に接する面には、角度保持突起を設けたことを特徴とする。
【００２０】
このドアホンは、撮像角度を所定の角度に保持する角度保持手段を規定したので、角度調整がしやすく、設定した角度が変わることがない。
請求項８に記載のカメラ付ドアホンは、請求項７において、前記角度調整レバーの角度保持凹所の内部には、この角度保持凹所に弾性を与える空洞が設けられていることを特徴とする。
【００２１】
このドアホンは、角度保持手段に弾性機能を持たせるようにしたもので、弾性によって、より小さな力で確実に角度保持をすることができる。
請求項９に記載のカメラ付ドアホンは、請求項２において、前記表面カバーに設けられ、前記角度調整レバーを回動可能に支持する軸受は、前記角度調整レバーの回動支点を前記表面カバーの裏面から抜き差し可能に支承する構成となっており、前記ベースには、前記角度調整レバーを操作するための操作窓を設け、この操作窓には、前記角度調整レバーの回動支点を中心とした円弧面を備えた凹ガイド部を設け、前記角度調整レバーには、この凹ガイド部と同一の円弧面を備えた凸ガイド部を設け、前記ベースを前記表面カバーにセットした際には、前記ベースの凹ガイド部が、前記表面カバーに設けられた軸受に支承された前記角度調整レバーの凸ガイド部をガイドするように構成したことを特徴とする。
【００２２】
このドアホンは、カメラユニット、角度調整レバーの双方が表面カバーに回動支持されるタイプにおいて、角度調整レバーが抜き差し可能に支承されるようにすると共に、このレバーが抜け落ちないように、かつ、スムーズに回動するように、この回動円弧面をもつ凸ガイド部と凹ガイド部を用いて、ベースでこのレバーを押さえるようにしたものである。
【００２３】
したがって、角度調整レバーを回動支持させるのに、所定の軸受に嵌め込んだりする必要がなく、ベースを表面カバーにセットするだけで、角度調整レバーの回動がガイドされスムーズに回動するように出来、組み立てが容易になる。
【００２４】
【発明の実施の形態】
以下に、本発明の実施の形態について、図面を用いて説明する。
図１本発明のカメラ付ドアホンのカメラと角度調整レバーの一例の動作を説明する概念図であり、（ａ）は係合突起がカメラ側の例、（ｂ）は係合突起がレバー側の例を示している。
【００２５】
このカメラ付ドアホンのカメラと角度調整レバーの構造は、基本的には図７の従来例のものと同様で、相違するのは角度調整レバーが回動する点である。
図１（ａ）のカメラ付ドアホン１０は、ドアホン１０の前面をカバーする表面カバー１、表面カバー１を着脱自在に取り付けるベース２、カメラ３ａなどを実装したカメラユニット３、カメラユニット３を回動させるための角度調整レバー４から構成されている。
【００２６】
表面カバー１は、カメラ３ａの前面に設けられた赤外線透過フィルター１ａを備えている。ベース２は、角度調整レバー４の操作のための操作窓２ａを備えている。
カメラユニット３は、カメラ３ａや赤外線照射ランプ（不図示）などの関連部品を搭載した基板３ｂと、この基板３ｂを回動させるための係合突起３ｃａ、表面カバー１に支持されカメラユニット３を回動させるための軸３ｄを備えている。
【００２７】
角度調整レバー４は、ベース２に支持された軸４ｂ回りに、矢印で示すように回動可能となっており、スライド係合溝４ａａを備えている。このスライド係合溝４ａａにカメラユニット３の係合突起３ｃａがスライド可能に嵌まり込んでいる。
したがって、図面に白と黒の矢印で区別して示したように、角度調整レバー４を白矢印方向、つまり、反時計回りに操作すると、スライド係合溝４ａａは反時計回りに、これに規制されて係合突起３ｃａは時計回りに、そして、カメラ３ａは時計回りに、つまり、白矢印方向に回動する。また、角度調整レバー４を黒矢印方向、つまり、時計回りに操作すると、カメラ３ａは反時計回りに、つまり、黒矢印方向に回動する。
【００２８】
こうして、角度調整レバー４でカメラ３ａの撮像角度の調整が可能であるとともに、レバー４を上に操作するとカメラ３ａの仰角が上向きになり、レバー４を下に操作するとカメラ３ａの仰角が下向きになるという直感的に解りやすい関係となり、調整がし易い。
特に、赤外線透過フィルター１ａに覆われてカメラ３ａの撮像角度の確認が困難なため、このドアホン１０をカメラ３ａを下側にして、角度調整レバー４で撮像角度を調整するとき、レバー４の向きが、カメラ３ａの向きに対応していると直感的に理解し易く、この角度調整がやりやすい。
【００２９】
図１（ｂ）のカメラ付ドアホン１０Ａは、図１（ａ）のドアホン１０とほぼ同じ構成であり、相違するのは、ドアホン１０Ａでは、カメラユニット３側にスライド係合溝３ｃｂが設けられ、角度調整レバー４側に係合突起４ａｂが設けられている点である。
したがって、この場合も、上記ドアホン１０と同様の効果をもたらす。
【００３０】
なお、上記２例においては、カメラユニット３が表面カバー１に回動支持されている場合を示したが、これは、ベース２側に回動支持されていてもよく、また、角度調整レバー４もベース２側ではなく、表面カバー１側に回動支持されていてもよく、いずれの場合でも同様の効果を発揮する。
また、上記で説明した係合突起とスライド係合溝が、角度調整レバーとカメラユニットの係合手段の一例であり、また、回動連接部の一例でもある。
【００３１】
図２は、本発明のカメラ付ドアホンのカメラと角度調整レバーの他例の動作を説明する概念図であり、（ａ）は係合突起がカメラ側の例、（ｂ）は係合突起がレバー側の例を示している。これより、同じ部分については、同じ符号を付して重複説明を省略する。
図２（ａ）のカメラ付ドアホン１０Ｂは、図１のドアホン１０、１０Ａに比べ、角度調整レバー４Ａの軸４ｂが、表面カバー１に設けられた軸受体３ｅの上方に開口した軸受部３ｅａに抜き差し可能に支承されている点である。したがって、軸受孔などに軸を嵌め込んだりすることなく、角度調整レバー４Ａの軸４ｂを軸受部３ｅａに載せるだけで、角度調整レバー４Ａと軸受体３ｅの回動可能な支持関係が成立する。
【００３２】
しかしながら、上方に開口した軸受部３ｅａは、軸４ｂを完全に回動可能に支持するものでなく、このまま、角度調整レバー４Ａを上から押さえたり、ガイドする手段が何ら講じられていないと、角度調整レバー４Ａが軸受体３ｅから抜け落ちたり、スムーズに回動しなかったりする。そのために、このドアホン１０Ｂでは、角度調整レバー４Ａに凸ガイド部４ｃを設け、対応してベース１の操作窓２ｂ側に凹ガイド部２ｃを設けている。
【００３３】
この凸ガイド部４ｃと凹ガイド部２ｃが対面する部分は、同一の円弧面となっており、この円弧面は、角度調整レバー４Ａの軸４ｂを中心とする円弧となっている。したがって、角度調整レバー４Ａを軸受体３ｅに載せ、ベース２を被せると、角度調整レバー４Ａの軸４ｂは軸受体３ｅの軸受部３ｅａに規制され、凸ガイド部４ｃがベース２の凹ガイド部２ｃに規制されて、抜け落ちることなく、スムーズに回動する。
【００３４】
こうして、このカメラ付ドアホン１０Ｂでは、図１のドアホン１０、１０Ａと同様の効果が得られる上に、さらに、組み立てが簡単になるという効果も得ることができる。
図２（ｂ）のカメラ付ドアホン１０Ｃは、図２（ａ）のドアホン１０Ｂに比べ、カメラユニット３側にスライド係合溝３ｃｂが設けられ、角度調整レバー４Ａ側に係合突起４ａｂが設けられている点が相違するだけである。
【００３５】
したがって、この場合も、上記ドアホン１０Ｂと同様の効果をもたらす。
図３は、本発明のカメラ付ドアホンの角度調整レバーの角度保持機構を概念的に説明するもので、（ａ）はその一例の要部説明図、（ｂ）は（ａ）のＡＡ断面図、（ｃ）は他例の要部説明図、（ｄ）は（ｃ）のＢＢ断面図である。
図３（ａ）、（ｂ）は、図１の角度調整レバー４に設けられた角度保持機構を示すものである。
【００３６】
角度調整レバー４の回動方向に直交する側面の一方側には、角度保持凹所４ｄが複数箇所設けられている。ここでは、３箇所設けられているが、調整の必要に合わせて適宜増減されるものである。この角度保持凹所４ｄに対面するベース２の操作窓２ａ側には、角度保持突起２ｄが１箇所設けられている。したがって、角度保持突起２ｄが、複数の角度保持凹所４ｄのいずれかに嵌まり込むことによって、所定の撮像角度を保持することができる。
【００３７】
角度調整レバー４の角度保持凹所４ｄを設けた部分の内側には、図に示すような空隙４ｅが設けられている。つまり、この空隙４ｅのために、角度調整レバー４の角度保持凹所４ｄを設けた部分は肉薄部となり、この部分が、操作窓２ａの角度保持突起２ｄに押されることで容易に空隙４ｅ側にへこみ、角度保持突起２ｄが角度保持凹所４ｄから抜け出して次の角度保持凹所４ｄに移りやすくしている。また、角度保持突起２ｄが角度保持凹所４ｄに嵌まり込んだ際には、適当な弾性でその状態を維持することができる。
【００３８】
こうして、より無理のない力で確実に所定角度を設定し、保持することができる。
図３（ｃ）、（ｄ）は、図２の角度調整レバー４Ａに設けられた角度保持機構を示すものである。
この場合、図３（ａ）、（ｂ）に比べ、角度調整レバー４Ａの凸ガイド部４ｃに角度保持凹所４ｄが設けられ、ベース側では、凹ガイド部２ｃ側に角度保持突起２ｄが設けれている点が相違するだけである。また、空隙４ｅも同様に設けられている。したがって、この場合も、図３（ａ）、（ｂ）と同様の角度保持機能を発揮する。
【００３９】
なお、上記の例と逆に、角度保持凹所をベースの操作窓側に設け、角度保持突起を角度調整レバー側に設けるようにしてもよい。また、弾性力を与える空隙も、角度保持凹所側に設けても、また、角度保持突起側に設けてもよく、いずれの場合にも同様の効果を発揮する。
これより本発明の実施例について説明する。この実施例は、図２（ａ）のカメラ付ドアホン１０Ｂに関するものである。
【００４０】
図４（ａ）は、そのカメラ付ドアホンの一例の分解斜視図、（ｂ）は（ａ）のＣ部詳細図である。
この図４（ａ）では、図２（ａ）で説明した表カバー１、ベース２、ベース２に設けられた調整窓２ｂ、カメラユニット３、角度調整レバー４Ａが見えている。図４（ｂ）のＣ部詳細図では、更に、カメラユニット３の基板３ｂ、係合突起３ｃａを設けた部分、軸受部３ｅａを備えた軸受体３ｅ、角度調整レバー４Ａのスライド係合溝４ａａ、軸４ｂ、凸ガイド部４ｃ、空隙４ｅが見えている。
【００４１】
図５は、図４（ｂ）のカメラユニットを他の角度から見た詳細斜視図である。この図５では、カメラユニット３のカメラ３ａ、基板３ｂ、カメラユニットを回動させる軸３ｄ、係合突起３ｃａが見えている。また、角度調整レバー４のスライド係合溝４ａａ、軸４ｂ、凸ガイド部４ｃ、３箇所の角度保持凹所４ｄ、その内部側に設けられた空隙４ｅが見えている。
【００４２】
この図５で、スライド係合溝４ａａと軸４ｂとの関係、また、角度保持凹所４ｄと空隙４との構造的関係がよく解る。
図６は、図４、５のカメラ付ドアホンのカメラの撮像角度の調整方法を説明するする図であり、（ａ）はカメラユニットを水平にしたときの様子を示す回動連接部での部分縦断面図、（ｂ）は（ａ）の軸受部での部分縦断面図、（ｃ）はカメラユニットを上向きしたときの様子を示す回動連接部での部分縦断面図、（ｄ）は（ｃ）の軸受部での部分縦断面図である。
【００４３】
この図を見ると、角度調節レバー４の軸４ｂが軸受体３ｅの軸受部３ｅａに支承され、いわゆる回動連接部を構成し、凸ガイド部４ｃがベース２側の凹ガイド部２ｃにガイドされて回動しているのが解る。
また、角度調節レバー４Ａを図６（ａ）、（ｂ）の状態から、図６（ｃ）、（ｄ）の状態になるように、上に操作すると、カメラユニット３も水平方向を向いた状態から、斜め上を向いた状態となっているのが解る。
【００４４】
【発明の効果】
請求項１に記載のカメラ付ドアホンによれば、角度調整レバーを上に操作すると、カメラが上を向き、下に操作するとカメラが下を向くので、レバーの操作とカメラの撮像角度の対応関係が直感的に解りやすく、調整の操作がしやすい。また、レバーも回動タイプとし、この両者の回動を回動方向が逆になるように回動連接部で連接したので、レバーを時計回りに回動させるとカメラは反時計回りに回動し、レバーを反時計回りに回動させるとカメラは時計回りに回動する。こうして、レバーを上げると、カメラが上を向き、レバーを下げるとカメラが下を向くといった解り易い対応関係を実現することができる。
【００４５】
請求項２に記載のカメラ付ドアホンによれば、請求項１を更に具体化し、カメラは表面カバーに回動支持されたカメラユニットで間接的に回動され、角度調整レバーは表面カバーに回動支持され、この両者を回動連接部である係合手段で係合させたので、請求項１の効果を発揮するドアホンを容易に実現することができる。
【００４６】
請求項３に記載のカメラ付ドアホンによれば、請求項２のものと同様のもので、異なるのは、角度調整レバーが表面カバーでなく、ベースに回動支持されている点だけである。したがって、請求項２と同様の効果を発揮する。
請求項４に記載のカメラ付ドアホンによれば、請求項２のものと同様のもので、異なるのは、カメラユニットと角度調整レバーとの双方とも、ベースに回動支持されている点だけである。したがって、請求項２と同様の効果を発揮する。
【００４７】
請求項５に記載のカメラ付ドアホンによれば、請求項２〜４のいずれかに記載のカメラ付ドアホンの効果に加え、回動するカメラユニットと角度調整レバーとの係合手段を、更に具体的に規定したものである。つまり、カメラユニット側に係合突起を設け、レバー側にスライド係合溝を設けたので、請求項２〜４の効果を発揮するカメラ付ドアホンをより容易に実現することができる。
【００４８】
請求項６に記載のカメラ付ドアホンによれば、請求項２〜４のいずれかに記載のカメラ付ドアホンの効果に加え、請求項５と同様のもので、レバー側に係合突起を設け、カメラユニット側にスライド係合溝を設けた点が異なるだけである。したがって、請求項５と同様の効果を発揮する。
請求項７に記載のカメラ付ドアホンによれば、請求項２〜６のいずれかに記載のカメラ付ドアホンの効果に加え、撮像角度を所定の角度に保持する角度保持手段を規定したので、角度調整がしやすく設定した角度が変わることがない。
【００４９】
請求項８に記載のカメラ付ドアホンによれば、請求項７に記載のカメラ付ドアホンの効果に加え、角度保持手段に弾性機能を持たせるようにしたので、弾性によって、より小さな力で確実に角度保持をすることができる。
請求項９に記載のカメラ付ドアホンによれば、請求項２に記載のカメラ付ドアホンの効果に加え、カメラユニット、角度調整レバーの双方が表面カバーに回動支持されるタイプにおいて、角度調整レバーが抜き差し可能に支承されるようにすると共に、このレバーが抜け落ちないように、かつ、スムーズに回動するように、この回動円弧面をもつ凸ガイド部と凹ガイド部を用いて、ベースでこのレバーを押さえるようにしたので、角度調整レバーを回動支持させるのに、所定の軸受に嵌め込んだりする必要がなく、ベースを表面カバーにセットするだけで、角度調整レバーの回動がガイドされスムーズに回動するように出来、組み立てが容易になる。
【図面の簡単な説明】
【図１】本発明のカメラ付ドアホンのカメラと角度調整レバーの一例の動作を説明する概念図であり、（ａ）は係合突起がカメラ側の例、（ｂ）は係合突起がレバー側の例
【図２】本発明のカメラ付ドアホンのカメラと角度調整レバーの他例の動作を説明する概念図であり、（ａ）は係合突起がカメラ側の例、（ｂ）は係合突起がレバー側の例
【図３】本発明のカメラ付ドアホンの角度調整レバーの角度保持機構を概念的に説明するもので、（ａ）はその一例の要部説明図、（ｂ）は（ａ）のＡＡ断面図、（ｃ）は他例の要部説明図、（ｄ）は（ｃ）のＢＢ断面図
【図４】（ａ）は本発明のカメラ付ドアホンの一例の分解斜視図、（ｂ）は（ａ）のＣ部詳細図
【図５】図４（ｂ）のカメラユニットを他の角度から見た詳細斜視図
【図６】図４のカメラ付ドアホンのカメラの撮像角度の調整方法を説明するする図であり、（ａ）はカメラユニットを水平にしたときの様子を示す回動連接部での部分縦断面図、（ｂ）は（ａ）の軸受部での部分縦断面図、（ｃ）はカメラユニットを上向きしたときの様子を示す回動連接部での部分縦断面図、（ｄ）は（ｃ）の軸受部での部分縦断面図
【図７】従来のカメラ付ドアホンのカメラと角度調整レバーの一例の動作を説明する概念図
【符号の説明】
１          表面カバー
１ａ        赤外線透過フィルター
２          ベース
２ａ        操作窓
２ｂ        操作窓
２ｃ        凹ガイド部
２ｄ        角度保持突起
３          カメラユニット
３ａ        カメラ
３ｂ        基板
３ｃａ      係合突起
３ｃｂ      スライド係合溝
３ｄ        軸
３ｅ        軸受体
３ｅａ      軸受部
４          角度調整レバー
４ａａ      スライド係合溝
４ａｂ      係合突起
４ｂ        軸
４ｃ        凸ガイド部
４ｄ        角度保持凹所
４ｅ        空洞
１０          カメラ付ドアホン
【図１】
0003694712.tif 000002
【図２】
0003694712.tif 000003
【図３】
0003694712.tif 000004
【図４】
0003694712.tif 000005
【図５】
0003694712.tif 000006
【図６】
0003694712.tif 000007
【図７】
0003694712.tif 000008